(57)【要約】【課題】主光源の点灯始動性向上と異常状態の適切な表示とを簡単な構成で実現できる光源装置を提供する。【解決手段】光源装置２は、発光物質が封入された放電空間Ｓを有し、該放電空間Ｓでの放電により発生する主可視光線Ｖ１を出射する発光部３１１と、該発光部３１１の外周面から照明光軸に沿って突出する後側封止部３１３とを有する主光源３と、前記放電空間Ｓに、補助紫外線Ｕと補助可視光線Ｖ２を含む補助光を出射する補助光源４と、を備える。【選択図】図２
2011210552.tif 000002
【特許請求の範囲】
【請求項１】
光源装置であって、
発光物質が封入された放電空間を有し、該放電空間での放電により発生する光を出射する発光部と、前記発光部の外周面から照明光軸に沿って突出する封止部とを有する主光源と、
前記放電空間に、紫外線と可視光線を含む補助光を出射する補助光源と、を備える
ことを特徴とする光源装置。
【請求項２】
請求項１に記載の光源装置において、
前記主光源は、
前記発光部からの光を反射する反射鏡を備え、
前記補助光源は、前記反射鏡に対して前記主光源からの光の出射方向と反対側に設けられ、前記補助光を前記封止部の露出端面に入射させる
ことを特徴とする光源装置。
【請求項３】
請求項２に記載の光源装置において、
前記封止部の外周面には、紫外線と可視光線を反射する反射部が設けられている
ことを特徴とする光源装置。
【請求項４】
請求項１に記載の光源装置において、
前記主光源は、
前記発光部からの光を反射する反射鏡を備え、
前記補助光源は、前記発光部に対して前記主光源からの光の出射方向側に設けられ、前記補助光を前記発光部および前記反射鏡に入射させる
ことを特徴とする光源装置。
【請求項５】
請求項１から請求項４のいずれかに記載の光源装置において、
前記補助光源は、紫外線を出射する紫外線出射部を備え、
この紫外線出射部における紫外線の出射領域の一部には、紫外線を可視光線に変換する紫外線変換部が設けられている
ことを特徴とする光源装置。
【請求項６】
請求項１から請求項５のいずれかに記載の光源装置と、
当該光源装置から出射された光束を変調する光変調素子と、
変調された前記光束を投射する投射光学装置とを備えることを特徴とするプロジェクター。
【発明の詳細な説明】
【技術分野】
【０００１】
本発明は、光源装置およびプロジェクターに関する。
【背景技術】
【０００２】
従来、プロジェクターでは、光源装置として一対の電極間で放電発光させる放電発光型の光源装置が多用される。
このような光源ランプは、一対の電極と、アルゴンおよびキセノン等の希ガス並びにハロゲンを含む発光物質とが封入された放電空間を備えている。そして、光源ランプは、各電極に所定の電圧が印加されると、電極間の絶縁破壊の後、放電空間内に放電（グロー放電およびアーク放電）が生じ、発光物質が反応して発光する構成となっている。
【０００３】
このような光源ランプの点灯始動性の改善のために、補助光源を設けた光源装置が知られている（例えば、特許文献１参照）。
この特許文献１に記載の光源装置は、補助光源から紫外線を主光源（光源ランプ）に入射させることで、当該主光源内での物質の光電子放出および放電物質のイオン化を促進し、始動時（電極間の絶縁破壊時）に電極に印加する電圧の絶対値を下げるという技術を用いたものである。
【先行技術文献】
【特許文献】
【０００４】
【特許文献１】特開２００３−２０３６０５号公報
【発明の概要】
【発明が解決しようとする課題】
【０００５】
ところで、特許文献１に記載の光源装置に用いる補助光源では、視認不可能な紫外線を出射している。このため、例えば主光源の異常により投射できない場合、補助光源が動作可能であっても、プロジェクターは、異常の状態を知らせる画像を表示できず、ユーザーに異常の原因を簡単に把握させることができない。
このような不具合を解消するために、ＬＥＤ（Light Emitting Diode）インジケーターでエラー表示をしたり、通信機能を用いて端末装置でユーザーに知らせることが考えられるが、構成が複雑になってしまう。
【０００６】
本発明の目的は、主光源の点灯始動性向上と異常状態の適切な表示とを簡単な構成で実現できる光源装置およびプロジェクターを提供することにある。
【課題を解決するための手段】
【０００７】
本発明の光源装置は、光源装置であって、発光物質が封入された放電空間を有し、該放電空間での放電により発生する光を出射する発光部と、前記発光部の外周面から照明光軸に沿って突出する封止部とを有する主光源と、前記放電空間に、紫外線と可視光線を含む補助光を出射する補助光源と、を備えることを特徴とする。
本発明によれば、主光源が正常に駆動する場合には、補助光源からの補助光に含まれる紫外線が主光源の放電空間に入射するので、主光源の点灯始動性を向上できる。さらに、主光源が正常に駆動しない場合には、補助光に含まれる可視光線を光変調素子に入射させることで、異常状態を知らせる文字や記号を用いた画像（異常時画像）を表示できる。よって、紫外線と可視光線とを含む補助光を主光源に入射させるだけの簡単な構成で、主光源の点灯始動性向上と異常状態の適切な表示とを実現できる。
【０００８】
本発明の光源装置では、前記主光源は、前記発光部からの光を反射する反射鏡を備え、前記補助光源は、前記反射鏡に対して前記主光源からの光の出射方向と反対側に設けられ、前記補助光を前記封止部の露出端面に入射させることが好ましい。
本発明によれば、反射鏡により封止部を照明光軸に沿うように支持し、この封止部の露出端面に補助光を入射させるので、補助光の紫外線は、封止部内を進行して放電空間に入射する。また、補助光の可視光線は、封止部および発光部を進行して光変調素子に入射する。特に、補助光の可視光線を反射鏡で反射させないで光変調素子に入射させるので、補助光源と反射鏡との高精度な位置調整が不要となる。よって、補助光源の高精度な位置調整をすることなく、主光源の点灯始動性向上と異常状態の適切な表示とを実現できる。
【０００９】
本発明の光源装置では、前記封止部の外周面には、紫外線と可視光線を反射する反射部が設けられていることが好ましい。
ここで、補助光を封止部の露出端面に入射させると、補助光は、封止部の外周面での反射を繰り返しながら封止部内を進行する。このとき、補助光の一部が外周面を透過してしまい、発光部や光変調素子に到達する紫外線や可視光線の量が減ってしまう。これに対して、本発明によれば、反射部により封止部の外周面に到達する紫外線と可視光線を反射するので、発光部や光変調素子に到達する光の量を減らすことがない。よって、短時間での主光源の点灯始動が可能となりプロジェクターの起動時間の短縮化を図れたり、異常時画像の高輝度化を図ることができる。
【００１０】
本発明の光源装置では、前記主光源は、前記発光部からの光を反射する反射鏡を備え、前記補助光源は、前記発光部に対して前記主光源からの光の出射方向側に設けられ、前記補助光を前記発光部および前記反射鏡に入射させることが好ましい。
本発明によれば、補助光の紫外線は、直接的に発光部に入射して、点灯始動性に寄与する。一方、補助光の可視光線は、反射鏡での反射後に光変調素子に入射して、異常時画像の表示に寄与する。また、一般的に、発光部に対して主光源からの光の出射方向側には各種レンズの配置スペースが設けられており、この配置スペースの空き部分に補助光源を配置することで、プロジェクターの大型化を抑制できる。
【００１１】
本発明の光源装置では、前記補助光源は、紫外線を出射する紫外線出射部を備え、この紫外線出射部における紫外線の出射領域の一部には、紫外線を可視光線に変換する紫外線変換部が設けられていることが好ましい。
本発明によれば、紫外線出射部の出射領域における紫外線変換部に入射する紫外線は、紫外線変換部で可視光線に変換されて、光変調素子に入射することで、異常時画像の表示に寄与する。一方、出射領域における紫外線変換部が設けられていない部分に入射する紫外線は、そのまま紫外線として発光部に入射されて、点灯始動性に寄与する。このため、紫外線の強度が強い補助光源を利用することができ、主光源の点灯時間の短縮化と、異常状態の適切な表示とを両立できる。
【００１２】
本発明のプロジェクターは、上述の光源装置と、当該光源装置から出射された光束を変調する光変調素子と、変調された前記光束を投射する投射光学装置とを備えることを特徴とする。
本発明によれば、プロジェクターは、上述した光源装置を備えるので、上述した光源装置と同様の作用および効果を享受できる。
【図面の簡単な説明】
【００１３】
【図１】第１実施形態および第２実施形態におけるプロジェクターの概略構成を示すブロック図。
【図２】第１実施形態における光源装置の断面図
【図３】第２実施形態における光源装置の断面図
【発明を実施するための形態】
【００１４】
［第１実施形態］
以下、本発明の第１実施形態を図面に基づいて説明する。
〔プロジェクターの構成〕
図１は、第１実施形態におけるプロジェクター１および後述する第２実施形態におけるプロジェクター１Ａの概略構成を示すブロック図である。
プロジェクター１は、図示しない透過型の液晶パネルを有し、光源から出射された光を画像情報に応じて変調して天井面やスクリーン等の被投射面に投射する。このプロジェクター１は、図１に示すように、光源装置２と、光変調素子５と、ランプ駆動回路６と、投射制御装置７と、投射光学装置８等を備える。
【００１５】
〔光源装置の構成〕
図２は、第１実施形態における光源装置２の断面図である。
なお、以下では、説明の便宜上、光源装置２の光出射側を「前方側」とし、光出射側の反対側を「後方側」と記載する。また、以下に記載する「左」および「右」は、前方側から見た「左」および「右」をそれぞれ意味するものとする。
光源装置２は、図１および図２に示すように、主可視光線Ｖ１を出射する主光源３と、この主光源３に補助可視光線Ｖ２および補助紫外線Ｕを出射する補助光源４と、図示しない平行化レンズを備えるほか、これらを内部に収納する図示しないハウジングとを備える。
【００１６】
（主光源の構成）
主光源３は、図２に示すように、発光管３１と、反射鏡３２とを備える。
発光管３１は、略球状に膨出する発光部３１１と、発光部３１１を挟み、発光部３１１の両端から互いに離間する方向に延出する一対の封止部３１２，３１３とを有する。
なお、以下では、説明の便宜上、一対の封止部３１２，３１３のうち、前方側の封止部３１２を前側封止部３１２と記載し、後方側の封止部３１３を後側封止部３１３と記載する。
【００１７】
発光部３１１の内部には、一対の電極Ｅ１，Ｅ２が配置され、一対の電極Ｅ１，Ｅ２間には、水銀、希ガスおよび少量のハロゲンを含む発光物質が封入された放電空間Ｓが形成されている。
各封止部３１２，３１３内部には、電極Ｅ１，Ｅ２とそれぞれ電気的に接続されたモリブデン製の金属箔３１２１，３１３１が挿入され、各封止部３１２，３１３における発光部３１１とは反対側の端部は、ガラス材料等で封止されている。
これら各金属箔３１２１，３１３１には、発光管３１の外部まで延出する電極引出線３１４（金属箔３１３１に接続される電極引出線は図示せず）がそれぞれ接続されている。
また、後側封止部３１３の外周面には、紫外線と可視光線を反射する反射部３１７が設けられている。この反射部３１７は、例えば薄膜により構成され、発光部３１１側の端部から当該端部と反対側の端部にかけて設けられている。
なお、前側封止部３１２に設けられた電極引出線３１４には、該電極引出線３１４に電圧を印加するために、ランプ駆動回路６に電気的に接続されるリード線３１６の一端が溶着されている。
【００１８】
反射鏡３２は、入射した可視光線の光束を反射して、所定の焦点位置に収束させるとともに、入射した紫外線の光束を透過させる。
そして、発光管３１は、発光部３１１の発光中心が反射鏡３２の焦点位置に位置するように、かつ、照明光軸Ａｘに沿うように、後側封止部３１３が反射鏡３２を貫通する状態で接着剤Ｂにより固定される。
この状態では、発光管３１は、図２に示すように、断面略凹状に拡がる反射鏡３２の内部に位置するとともに、前側封止部３１２が反射鏡３２の前方側の端部よりも前方側に突出した状態となる。
【００１９】
そして、ランプ駆動回路６により、主光源３の電極引出線３１４と図示しない電極引出線に電圧が印加されると、一対の電極Ｅ１，Ｅ２間に電位差が生じて放電が発生し、発光部３１１内部が発光する。この光は、反射鏡３２で反射され、主可視光線Ｖ１として図示しない光学素子により光変調素子５に入射する。
【００２０】
（補助光源の構成）
補助光源４は、図２に示すように、反射鏡３２に対して主光源３からの主可視光線Ｖ１の出射方向と反対側に設けられ、紫外線出射部４１と、紫外線変換部としての蛍光体４２とを備える。
紫外線出射部４１は、主光源３の後側封止部３１３の後方において、当該後側封止部３１３と対向するように設けられている。この紫外線出射部４１は、紫外線を透過させる材料で形成された紫外線発光管４１１を備える。この紫外線発光管４１１の内部には、ランプ駆動回路６により電圧が印加されると、紫外線を発生させる紫外線発光部４１２が収容されている。ここで、紫外線出射部４１としては、低圧水銀灯、誘電体バリア放電エキシマランプ、ＵＶ−ＬＥＤ（Ultraviolet Light Emitting Diode）が例示できる。なお、以下では、説明の便宜上、紫外線発光管４１１の外周面における後側封止部３１３と対向する領域を出射領域とする。
蛍光体４２は、紫外線発光管４１１の出射領域の上部と下部を塞ぎ、かつ、中央部を塞がないように設けられ、紫外線により励起されて蛍光（可視光線）を発生させる。この蛍光体４２としては、Ｍｇ（マグネシウム）、Ｃａ（カルシウム）、Ｓｒ（ストロンチウム）、Ｚｎ（亜鉛）、Ｅｕ（ユウロピウム）、Ｍｎ（マンガン）、Ｓｎ（スズ）、Ｆｅ（鉄）、Ｃｒ（クロム）を含むリン酸塩蛍光体あるいはホウ酸塩蛍光体が例示できる。
【００２１】
そして、ランプ駆動回路６により紫外線出射部４１に電圧が印加されると、紫外線が発生する。この発生した紫外線のうち、紫外線発光管４１１における蛍光体４２が設けられていない領域から出射するものは、紫外線発光管４１１を透過して、補助紫外線Ｕとして後側封止部３１３の後端面（露出端面）から発光管３１内部に入射する。そして、この補助紫外線Ｕは、反射部３１７で反射しながら進行して発光部３１１に到達し、主光源３の点灯始動性の改善に寄与する。
一方、紫外線発光管４１１における蛍光体４２が設けられている領域から出射する紫外線は、蛍光体４２を励起させる。そして、この励起により発生する蛍光は、補助可視光線Ｖ２として後側封止部３１３の後端面から発光管３１内部に入射する。そして、この補助可視光線Ｖ２は、反射部３１７で反射しながら進行して、光変調素子５に入射する。
つまり、補助光源４は、補助可視光線Ｖ２と補助紫外線Ｕを含む補助光を、主光源３と光変調素子５に入射させる。
【００２２】
〔光変調素子の構成〕
光変調素子５は、例えば、透過型の液晶パネル等から構成され、投射制御装置７の制御により、可視光線を変調する。具体的に、光変調素子５は、主光源３が正常に駆動する正常状態では、主に主光源３からの主可視光線Ｖ１を、コンピュータなどの外部機器９から入力される外部入力画像情報に基づいて変調する。一方、主光源３が駆動しない異常状態では、補助光源４からの補助可視光線Ｖ２を、投射制御装置７で生成される内部生成画像情報に基づいて変調する。そして、この変調された主可視光線Ｖ１や補助可視光線Ｖ２は、投射光学装置８を介してスクリーンＣに拡大投射される。
ここで、異常時に投射される画像としては、主光源３が故障したことを知らせる文字や記号が例示できる。
【００２３】
〔電源装置および投射制御装置の構成〕
ランプ駆動回路６は、投射制御装置７により制御され、主光源３および補助光源４を点灯させる。このランプ駆動回路６は、具体的な図示は省略したが、例えば、主光源３および補助光源４の点灯に適合した所要の周波数、レベルによる電圧パルスに変換するダウンコンバーターや、変換された電圧パルスを昇圧して主光源３および補助光源４に供給するイグナイター等で構成されている。
投射制御装置７は、光源制御部７１と、画像形成部７２等を備える。
光源制御部７１は、補助光源４と主光源３を点灯させ、その後に主光源３が正常に駆動するか否かに応じて補助光源４と主光源３の点灯状態を制御する。画像形成部７２は、主光源３が正常に駆動するか否かに基づいて、外部入力画像情報または内部生成画像情報を生成する。
なお、光源制御部７１および画像形成部７２の詳細な動作については、後述する。
【００２４】
〔プロジェクターの動作〕
次に、プロジェクター１の動作について説明する。
なお、以下の動作の説明においては、正常時または異常時の画像の表示処理までについて説明し、それ以降の動作については説明を省略する。
【００２５】
（主光源が正常に駆動する場合の動作）
まず、主光源３が正常に駆動する場合の動作について説明する。
投射制御装置７の光源制御部７１は、図示しない電源スイッチがオンされたことを認識すると、ランプ駆動回路６を制御して、補助光源４への電圧の印加を開始する。補助光源４は、電圧が印加されると、図２に示すように、補助紫外線Ｕと補助可視光線Ｖ２を発光管３１内に入射させる。この発光管３１内に入射された補助紫外線Ｕは、反射部３１７で反射しながら進行して、発光部３１１内に入射する。
また、光源制御部７１は、補助光源４への電圧の印加開始後、ランプ駆動回路６を制御して、主光源３の一対の電極Ｅ１，Ｅ２間に電圧を印加する。主光源３が正常に動作する場合、一対の電極Ｅ１，Ｅ２間に電流が流れて、絶縁破壊が起きる。このとき、発光部３１１内に補助光源４からの補助可視光線Ｖ２が入射しているため、物質の光電子放出および放電物質のイオン化が促進され、一対の電極Ｅ１，Ｅ２間に印加する高電圧の絶対値が下がり、点灯始動性が向上する。
【００２６】
そして、光源制御部７１は、一対の電極Ｅ１，Ｅ２間に電流が流れたことにより、主光源３が正常に駆動していることを認識すると、ランプ駆動回路６を制御して補助光源４への電圧の印加を終了する。また、主光源３への電圧の印加を継続させる。
【００２７】
一方、画像形成部７２は、光源制御部７１において主光源３が正常に駆動していることが認識されると、外部機器９からのコンテンツ等の信号を取得する。そして、この信号に基づく外部入力画像情報を生成して、光変調素子５へ送信する。光変調素子５は、主光源３から入射される主可視光線Ｖ１を、画像形成部７２からの外部入力画像情報に基づいて変調し、投射光学装置８によりスクリーンＣに拡大投射する。
【００２８】
（主光源が正常に駆動しない場合の動作）
次に、主光源３が正常に駆動しない場合の動作について説明する。
光源制御部７１は、補助光源４および主光源３への電圧の印加開始後に、一対の電極Ｅ１，Ｅ２間に電流が流れないことを認識すると、主光源３が故障などにより正常に駆動してないと認識する。この後、ランプ駆動回路６を制御して、主光源３への電圧の印加を終了するとともに、補助光源４への電圧の印加を継続する。
そして、補助光源４から出射される補助可視光線Ｖ２は、図２に示すように、反射部３１７で反射しながら発光管３１内を進行し、図示しない光学素子により光変調素子５に入射する。
【００２９】
一方、画像形成部７２は、主光源３が正常に駆動していないことが認識されると、内部生成画像情報を生成して、光変調素子５へ送信する。光変調素子５は、補助光源４からの補助可視光線Ｖ２を、画像形成部７２からの内部生成画像情報に基づいて変調し、投射光学装置８によりスクリーンＣに拡大投射する。
【００３０】
〔第１実施形態の作用効果〕
上述した第１実施形態によれば、以下の効果がある。
第１実施形態では、プロジェクター１の光源装置２は、主可視光線Ｖ１を出射する主光源３と、補助可視光線Ｖ２および補助紫外線Ｕを出射する補助光源４を備える。このことにより、主光源３が正常に駆動する場合には、補助光源４からの補助紫外線Ｕが主光源３の発光部３１１に入射するので、主光源３の点灯始動性を向上できる。また、主光源３が正常に駆動しない場合には、補助光源４からの補助可視光線Ｖ２が光変調素子５に入射するので、異常時にも画像が表示できる。よって、補助紫外線Ｕと補助可視光線Ｖ２を含む補助光を主光源３と光変調素子５に入射させるだけの簡単な構成で、主光源３の点灯始動性向上と異常状態の適切な表示とを実現できる。
【００３１】
また、反射部３１７により後側封止部３１３の外周面に到達する補助紫外線Ｕと補助可視光線Ｖ２を反射する構成としている。このことにより、発光部３１１や光変調素子５に到達する光の量を減らすことがないので、短時間での主光源３の点灯始動が可能となりプロジェクター１の起動時間の短縮化を図ることができる。
【００３２】
さらに、補助光源４は、内部に紫外線発光部４１２が収容された紫外線発光管４１１を備える。そして、この紫外線発光管４１１の出射領域の一部に、蛍光体４２を設けている。このことにより、蛍光体４２に入射する紫外線は、蛍光体４２で補助可視光線Ｖ２に変換されて、光変調素子５に入射することで、異常時画像の表示が可能となる。一方、蛍光体４２が設けられていない部分に入射する紫外線は、そのまま補助紫外線Ｕとして発光部３１１に入射されて、点灯始動性に寄与する。このため、紫外線の強度が強い補助光源４を利用することができ、主光源３の点灯時間の短縮化と、異常状態の適切な表示とを両立できる。
【００３３】
［第２実施形態］
次に、本発明の第２実施形態について説明する。
なお、図１に示すように、第２実施形態のプロジェクター１Ａと第１実施形態のプロジェクター１との相違点は、光源装置２Ａのみなので、光源装置２Ａ以外の構成については、説明を省略する。また、プロジェクター１Ａの動作についても、第１実施形態と同様なので説明を省略する。
【００３４】
〔光源装置の構成〕
図３は、第２実施形態における光源装置２Ａの断面図である。
光源装置２Ａは、図１および図３に示すように、主光源３Ａと、補助光源４Ａ等を備える。
また、主光源３Ａは、図３に示すように、後側封止部３１３に反射部３１７を設けていないことを除いて、第１実施形態の主光源３と同じ構成を有している。
【００３５】
（補助光源の構成）
補助光源４Ａは、反射鏡３２に対して主光源３Ａからの主可視光線Ｖ１の出射方向側、すなわち反射鏡３２の下端前方に設けられ、紫外線出射部４１Ａと、蛍光体４２とを備える。
紫外線出射部４１Ａは、板状に形成されて、法線上に発光部３１１が位置するように対向配置された基材４１１Ａを備える。この基材４１１Ａの発光部３１１との対向面には、ランプ駆動回路６により電圧が印加されると、紫外線を発生させる紫外線チップ４１２Ａが配置されている。なお、以下では、説明の便宜上、紫外線チップ４１２Ａにおける発光部３１１と対向する領域を出射領域とする。
なお、蛍光体４２は、紫外線チップ４１２Ａの出射領域の前方側と後方側（図３における右側と左側）を塞ぎ、かつ、中央部を塞がないように設けられている。
【００３６】
そして、紫外線出射部４１Ａで発生する紫外線のうち、紫外線チップ４１２Ａにおける蛍光体４２が設けられていない領域から出射するものは、補助紫外線Ｕとして発光部３１１に到達し、主光源３Ａの点灯始動性の改善に寄与する。
一方、紫外線チップ４１２Ａにおける蛍光体４２が設けられている領域から出射する紫外線は、蛍光体４２を励起させて、蛍光を発生させる。そして、この蛍光は、補助可視光線Ｖ２として反射鏡３２で反射して、光変調素子５に入射する。
つまり、補助光源４Ａは、補助可視光線Ｖ２と補助紫外線Ｕを含む補助光を、図示しない光学素子により光変調素子５に入射させる。
【００３７】
〔第２実施形態の作用効果〕
上述した第２実施形態によれば、第１実施形態と同様の効果に加えて、以下の効果がある。
第２実施形態では、光源装置２Ａの補助光源４Ａは、反射鏡３２の下端前方に設けられ、補助光を発光部３１１および反射鏡３２に入射させる。このことにより、一般的に、反射鏡３２の下端前方に存在する各種レンズの配置スペースの空き部分に、補助光源４Ａを配置することができ、プロジェクター１の大型化を抑制できる。
【００３８】
［変形例］
なお、本発明は前述の実施形態に限定されるものではなく、本発明の目的を達成できる範囲での変形、改良等は本発明に含まれるものである。
第１実施形態では、反射部３１７を設けたが、これを設けなくても構わない。
第１，第２実施形態では、紫外線出射部４１，４１Ａで発生する紫外線により蛍光体４２を励起させることで、補助可視光線Ｖ２を出射していたが、紫外線および可視光線を含む光を発生する光源を補助光源として適用しても構わない。
【００３９】
第１，第２実施形態では、透過型の液晶パネルを有する構成を採用していたが、これに限らず、反射型の液晶パネル、あるいは、ＤＭＤ(Digital Micromirror Device)(米国テキサスインスツルメント社の商標)等を採用してもよい。
第１，第２実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００４０】
本発明は、光源装置に利用でき、特にプロジェクターに採用される光源装置に好適に利用することができる。
【符号の説明】
【００４１】
１，１Ａ…プロジェクター、２，２Ａ…光源装置、３，３Ａ…主光源、４，４Ａ…補助光源、５…光変調素子、８…投射光学装置、３２…反射鏡、４１，４１Ａ…紫外線出射部、４２…蛍光体（紫外線変換部）、３１１…発光部、３１３…後側封止部（封止部）、３１７…反射部、Ｓ…放電空間。
【図１】
2011210552.tif 000003
【図２】
2011210552.tif 000004
【図３】
2011210552.tif 000005